(57)【特許請求の範囲】
【請求項１】
二酸化塩素発生装置であって、
前記装置は、光源部および薬剤収納部を備え、
前記光源部は、実質的に可視領域の波長からなる光を発生させるためのものであり、
前記薬剤収納部には、固形の亜塩素酸塩、および、二酸化チタンを含む薬剤が収納されており、
前記薬剤収納部には、内部と外部をエアが移動できるように、１または複数の開口部が備えられており、
ここで、前記薬剤収納部の内部に存在する前記薬剤が、前記光源部から発生される前記光によって照射されることにより、二酸化塩素ガスが発生し、
前記二酸化チタンが１ｍｍ〜３０ｍｍの平均粒子径を有する粒状のものであり、
前記薬剤に含まれる二酸化チタンの割合は５ｗ／ｗ％〜３０ｗ／ｗ％であり、
前記可視領域の波長からなる光が、３６０ｎｍ〜４５０ｎｍの波長の光であることを特徴とする、
二酸化塩素発生装置。
【請求項２】
請求項１に記載の二酸化塩素発生装置であって、
前記薬剤収納部と前記光源部が一体的に配置されていることを特徴とする、
二酸化塩素発生装置。
【請求項３】
請求項１または２に記載の二酸化塩素発生装置であって、
前記薬剤収納部が前記光源部の上方に配置されていることを特徴とする、
二酸化塩素発生装置。
【請求項４】
請求項１〜３のいずれか１項に記載の二酸化塩素発生装置であって、
前記薬剤収納部の少なくとも底面は、実質的に可視領域の波長からなる光を透過させる樹脂製であることを特徴とする、
二酸化塩素発生装置。
【請求項５】
請求項１〜４のいずれか１項に記載の二酸化塩素発生装置であって、
前記薬剤収納部に収納された薬剤にエアを送るための送風部をさらに備えることを特徴とする、
二酸化塩素発生装置。
【請求項６】
請求項５に記載の二酸化塩素発生装置であって、
前記送風部が、前記二酸化塩素発生装置の外部から内部へとエアを取り込むためのファン、または、前記二酸化塩素発生装置の内部から外部へとエアを放出するためのファンであることを特徴とする、
二酸化塩素発生装置。
【請求項７】
請求項５または請求項６に記載の二酸化塩素発生装置であって、
前記薬剤収納部の下方に、前記送風部が配置されていることを特徴とする、
二酸化塩素発生装置。
【請求項８】
請求項７に記載の二酸化塩素発生装置であって、
前記薬剤収納部の開口部のうち少なくとも１つは、前記薬剤収納部の側面に存在し、
前記送風部から送られたエアは、少なくとも部分的には、前記薬剤収納部の側面に存在する開口部を介して、薬剤に送られる
ことを特徴とする
二酸化塩素発生装置。
【請求項９】
請求項１〜８のいずれか１項に記載の二酸化塩素発生装置であって、
前記光源部が、ランプ、または、チップを備えることを特徴とする、
二酸化塩素発生装置。
【請求項１０】
請求項９に記載の二酸化塩素発生装置であって、
前記チップが、ＬＥＤチップであることを特徴とする、
二酸化塩素発生装置。
【請求項１１】
請求項１〜１０のいずれか１項に記載の二酸化塩素発生装置であって、
前記固形の亜塩素酸塩が、粒状であり、当該粒子の平均粒子径が１ｍｍ〜３ｍｍの範囲であることを特徴とする、
二酸化塩素発生装置。
【請求項１２】
請求項１〜１１のいずれか１項に記載の二酸化塩素発生装置であって、
前記固形の亜塩素酸塩が、粒状であり、
前記薬剤中における前記固形の亜塩素酸塩と前記二酸化チタンとの混合割合が、重量比において、２：１〜５：３の間の範囲であることを特徴とする、
二酸化塩素発生装置。
【請求項１３】
請求項１〜１２のいずれか１項に記載の二酸化塩素発生装置であって、
前記薬剤収納部は、交換可能なカートリッジであることを特徴とする、
二酸化塩素発生装置。
【請求項１４】
二酸化塩素発生装置において用いる、二酸化塩素発生用ユニットであって、
前記ユニットは、
薬剤収納部と光源部を備え、
前記光源部は、実質的に可視領域の波長からなる光を発生させるためのものであり、
前記薬剤収納部には、固形の亜塩素酸塩、および、二酸化チタンを含む薬剤が収納されており、
前記薬剤収納部には、内部と外部をエアが移動できるように、１または複数の開口部が備えられており、
前記薬剤収納部と前記光源部は、一体的に接続されており、
前記二酸化チタンが１ｍｍ〜３０ｍｍの平均粒子径を有する粒状のものであり、
前記薬剤に含まれる二酸化チタンの割合は５ｗ／ｗ％〜３０ｗ／ｗ％であり、
前記可視領域の波長からなる光が、３６０ｎｍ〜４５０ｎｍの波長の光であることを特徴とする、
二酸化塩素発生用ユニット。
【請求項１５】
請求項１４に記載の二酸化塩素発生用ユニットであって、
前記薬剤収納部は、交換可能なカートリッジであることを特徴とする、
二酸化塩素発生用ユニット。
【請求項１６】
二酸化塩素発生装置であって、
請求項１４または請求項１５に記載の二酸化塩素発生用ユニットを備えることを特徴とする、
二酸化塩素発生装置。
【発明の詳細な説明】
【技術分野】
【０００１】
本発明は、二酸化塩素発生装置及び二酸化塩素発生用ユニットに関する。より詳しくは、固形の亜塩素酸塩、および、金属触媒または金属酸化物触媒の混合物に可視領域の波長の光を照射することによって二酸化塩素が発生するメカニズムを利用した小型の二酸化塩素発生装置及び二酸化塩素発生用ユニットに関する。本発明は、特に車（例えば、自家用車、バス、タクシー等）やその他の乗り物（例えば、飛行機、電車、船等）に好適に搭載され得る。
【背景技術】
【０００２】
従来より、亜塩素酸塩を含む水溶液や亜塩素酸塩を含むゲル剤等に紫外線を照射し、二酸化塩素を発生させる装置は知られていた（例えば、特許文献１）。しかしながら、従来の二酸化塩素製造装置は、持ち運ぶことを念頭に開発されたものではなく、大がかりなものが多かった。また、従来の二酸化塩素発生装置は亜塩素酸塩を含有する液体、あるいはそれを含んだゲル状物が主成分（二酸化塩素発生源）であり、これらをあえて持ち運ぼうとすると、当該主成分が、あるいは廃液がこぼれるという問題があった。さらに、単に小型化して持ち運びできるようにしても、小型が故に生じる問題、すなわち（亜塩素酸塩の絶対量が不足して）二酸化塩素発生の持続性に乏しいという問題が新たに生じ、継続的に使用することが難しかった。【０００３】
二酸化塩素発生装置の「小型化」と「継続的な使用」という課題を同時に解決した装置として、所定の構造を備えたカートリッジに固形の亜塩素酸塩を含む薬剤を包含させ、紫外線を照射することによって二酸化塩素を発生させる装置が知られている（特許文献２）。
【先行技術文献】
【特許文献】
【０００４】
【特許文献１】特開２００５−２２４３８６号公報
【特許文献２】ＷＯ２０１１／１１８４４７
【発明の概要】
【発明が解決しようとする課題】
【０００５】
上記の特許文献２に記載の装置は、従来の二酸化塩素発生装置と比較して小型であり、且つ、継続的な使用が可能であるという点で優れている。しかし、当該装置は、固形の亜塩素酸塩を二酸化塩素発生源として用いる点で、亜塩素酸塩を含む水溶液や亜塩素酸塩を含むゲル剤に紫外線を照射して二酸化塩素を発生させる装置と比較して、二酸化塩素の発生量が少ないという、さらなる課題があった。
【課題を解決するための手段】
【０００６】
従来、固形の亜塩素酸塩に光を照射して二酸化塩素を発生させる場合、より効率的に二酸化塩素を発生させるためには、様々な波長の光の中でも、よりエネルギーの高い紫外領域の光を用いることが必須であると考えられてきた。【０００７】
本発明者らは、固形の亜塩素酸塩を含む薬剤を二酸化塩素の発生源として用いる装置の二酸化塩素発生量を増加させるために鋭意検討を重ねた。その結果、予想外にも、固形の亜塩素酸塩を含む薬剤に紫外線を照射すると、二酸化塩素だけではなく、オゾンまでもが発生し、このオゾンが二酸化塩素と干渉することによって、全体として発生する二酸化塩素の量がオゾンの量よりも減少していることを見出した（本明細書の試験例１および図３も参照のこと）。【０００８】
本発明者らは、上記の知見に基づき、固形の亜塩素酸塩を含む薬剤を二酸化塩素の発生源として用いる装置において、オゾンの発生を抑えつつ、全体として発生する二酸化塩素の量を増加させるために、さらに検討を重ねた。その結果、従来、固形の亜塩素酸塩から二酸化塩素を発生させるために必須であると考えられてきた紫外線ではなく、可視領域の光を用いることによって、オゾンの発生量を減少させることができ、装置全体として発生させることができる二酸化塩素量を増加させることに成功した。さらに、紫外線よりもエネルギーの低い可視領域の光を用いることによる反応性の低下を補うために、固形の亜塩素酸塩に金属触媒または金属酸化物触媒（例えば、二酸化チタン）を混合することで、固形の亜塩素酸塩から発生する二酸化塩素の量をさらに増加できることを見出した。【０００９】
これらの創意工夫によって、発明者らは、小型でありながら、実用的に十分な量の二酸化塩素を、極めて長時間にわたって放出することができる、本発明の装置を完成させるに到った。【００１０】
すなわち、本発明は、その一実施形態において、二酸化塩素発生装置であって、前記装置は、光源部および薬剤収納部を備え、前記光源部は、実質的に可視領域の波長からなる光を発生させるためのものであり、前記薬剤収納部には、固形の亜塩素酸塩、および、金属触媒または金属酸化物触媒を含む薬剤が収納されており、前記薬剤収納部には、内部と外部をエアが移動できるように、１または複数の開口部が備えられており、ここで、前記薬剤収納部の内部に存在する前記薬剤が、前記光源部から発生される前記光によって照射されることにより、二酸化塩素ガスが発生することを特徴とする、二酸化塩素発生装置を提供する。【００１１】
本発明の二酸化塩素発生装置は、その一実施形態において、前記薬剤収納部と前記光源部が一体的に配置されていることを特徴とする。【００１２】
また、本発明の二酸化塩素発生装置は、その一実施形態において、前記薬剤収納部が前記光源部の上方に配置されていることを特徴とする。【００１３】
本発明の二酸化塩素発生装置は、その一実施形態において、前記薬剤収納部の少なくとも底面が、実質的に可視領域の波長からなる光を透過させる樹脂製であることを特徴とする。【００１４】
本発明の二酸化塩素発生装置は、その一実施形態において、前記薬剤収納部に収納された薬剤にエアを送るための送風部をさらに備えることを特徴とする。【００１５】
本発明の二酸化塩素発生装置は、その一実施形態において、前記送風部が、前記二酸化塩素発生装置の外部から内部へとエアを取り込むためのファン、または、前記二酸化塩素発生装置の内部から外部へとエアを放出するためのファンであることを特徴とする。【００１６】
本発明の二酸化塩素発生装置は、その一実施形態において、前記薬剤収納部の下方に、前記送風部が配置されていることを特徴とする。【００１７】
本発明の二酸化塩素発生装置は、その一実施形態において、前記薬剤収納部の開口部のうち少なくとも１つは、前記薬剤収納部の側面に存在し、前記送風部から送られたエアは、少なくとも部分的には、前記薬剤収納部の側面に存在する開口部を介して、薬剤に送られることを特徴とする。【００１８】
本発明の二酸化塩素発生装置は、その一実施形態において、前記光源部が、ランプ、または、チップを備えることを特徴とする。【００１９】
本発明の二酸化塩素発生装置は、その一実施形態において、前記チップが、ＬＥＤチップであることを特徴とする。【００２０】
本発明の二酸化塩素発生装置は、その一実施形態において、前記可視領域の波長からなる光が、３６０ｎｍ〜４５０ｎｍの波長の光であることを特徴とする。【００２１】
本発明の二酸化塩素発生装置は、その一実施形態において、前記「金属触媒または金属酸化物触媒」が、パラジウム、ルビジウム、ニッケル、チタン、および、二酸化チタンからなる群から選択されることを特徴とする。【００２２】
本発明の二酸化塩素発生装置は、その一実施形態において、前記「金属触媒または金属酸化物触媒」が、粒状または粉状であることを特徴とする。【００２３】
本発明の二酸化塩素発生装置は、その一実施形態において、前記固形の亜塩素酸塩が、粒状であり、当該粒子の平均粒子径が１ｍｍ〜３ｍｍの範囲であることを特徴とする。【００２４】
本発明の二酸化塩素発生装置は、その一実施形態において、前記「金属触媒または金属酸化物触媒」が、粒状または粉状であり、前記固形の亜塩素酸塩が、粒状であり、前記薬剤中における前記固形の亜塩素酸塩と前記「金属触媒または金属酸化物触媒」との混合割合が、重量比において、２：１〜５：３の間の範囲であることを特徴とする。【００２５】
本発明の二酸化塩素発生装置は、その一実施形態において、前記薬剤収納部が、交換可能なカートリッジであることを特徴とする。【００２６】
また、本発明は、他の実施形態において、二酸化塩素発生装置において用いる、二酸化塩素発生用ユニットであって、前記ユニットは、薬剤収納部と光源部を備え、前記光源部は、実質的に可視領域の波長からなる光を発生させるためのものであり、前記薬剤収納部には、固形の亜塩素酸塩、および、金属触媒または金属酸化物触媒を含む薬剤が収納されており、前記薬剤収納部には、内部と外部をエアが移動できるように、１または複数の開口部が備えられており、前記薬剤収納部と前記光源部は、一体的に接続されていることを特徴とする、二酸化塩素発生用ユニットを提供する。【００２７】
本発明の二酸化塩素発生用ユニットは、その一実施形態において、前記薬剤収納部が、交換可能なカートリッジであることを特徴とする。【００２８】
また、本発明は、他の実施形態において、上記の二酸化塩素発生用ユニットを備えることを特徴とする、二酸化塩素発生装置を提供する。【００２９】
上記の、本発明の一または複数の特徴を、当業者の観点から技術的に矛盾しないように任意に組み合わせたものも、本発明の範囲に含まれることはいうまでもない。
【発明の効果】
【００３０】
本発明の二酸化塩素発生装置は、上記の構成をとることにより、小型でありながら、実用的に十分な量の二酸化塩素を、極めて長時間にわたって放出することができるため、例えば乗物搭載用に好適に用いることができる。
【図面の簡単な説明】
【００３１】
【図１】図１は、本発明の一実施形態である、二酸化塩素発生装置の縦断面図を示す。
【図２】図２は、本発明の一実施形態である、二酸化塩素発生装置および二酸化塩素発生用ユニットの縦断面図を示す。
【図３】図３は、本発明の一実施形態である二酸化塩素発生装置において、光源部から照射される光の波長を変化させた場合の、エア中の二酸化塩素濃度およびオゾン濃度の実測値を示したグラフである。
【図４】図４は、図３における二酸化塩素濃度およびオゾン濃度の実測値のうち、紫外領域における測定値の平均値と、可視領域における測定値の平均値を示したグラフである。
【図５】図５は、本発明の一実施形態である二酸化塩素発生装置における、金属触媒または金属酸化物触媒の形状による二酸化塩素発生量の変化を示したグラフである。
【図６】図６は、本発明の一実施形態である二酸化塩素発生装置において、電源をＯＮ／ＯＦＦにした場合の二酸化塩素発生量の変化を測定したグラフである。図６のグラフの縦軸は発生量（ｍｇ／ｈ）（１目盛は０．２）を示し、横軸は時間（ｈ）（１目盛は２４時間）を示す。
【発明を実施するための形態】
【００３２】
本発明で使用される光源は、可視領域の光を単独に、あるいは可視領域の含めて放つものであれば従来公知の光源を用いることができる。従って、本発明で用いられる光源から発生される光の波長は、可視領域の光の波長（３６０ｎｍ〜８３０ｎｍ）のみに限定されず、紫外領域の光の波長（〜３６０ｎｍ）および赤外領域の光の波長（８３０ｎｍ〜）を含んだ光であっても構わない。しかし、紫外領域の波長の光を固形の亜塩素酸塩を含む薬剤に照射すると、副産物としてオゾンが発生しやすく、また、赤外領域の波長の光ではエネルギーが弱いため、固形の亜塩素酸塩を含む薬剤に照射しても発生する二酸化塩素の量が少ない。したがって、本発明において使用される光源から発生される光は、実質的に可視領域の波長の光からなることが好ましい。本発明において使用される光源から発生される光は、３６０ｎｍ〜４５０ｎｍの波長の光であることが好ましく、３８０ｎｍ〜４５０ｎｍまたは３６０ｎｍ〜４３０ｎｍの波長の光であることがさらに好ましく、３８０ｎｍ〜４３０ｎｍの波長の光であることが最も好ましい。
【００３３】
光源から発生される光の波長が実質的に特定の波長領域の範囲に含まれることは、公知の測定機器によって光源から発生される光の波長やエネルギーを測定することによって確認することができる。
【００３４】
本発明において使用される光源は、可視領域の波長の光を発生させるものであれば特に限定されないが、例えば可視領域の光を発生させるランプ（白熱ランプ、ＬＥＤランプ）、チップ、レーザー装置等、様々なものを用いることができる。光源から発生される光の指向性の観点から、また、装置の小型化の観点から、光源としてチップの形態のものを用いることが好ましい。チップの形態の光源は指向性が狭いことから、光が拡散することなく、照射の対象物に対して効率よく光を照射することができ、装置の二酸化塩素発生効率を向上させることができる。また、光源から発生される光の波長を限定し、紫外領域や赤外領域の光を含まないようにするという観点からは、光源として、可視領域の光を発生させるＬＥＤを用いることが好ましい。特に、装置の小型化の観点、および、二酸化塩素の発生効率の観点から、本発明において使用される光源は、可視領域の光を発生させるＬＥＤチップであることが最も好ましい。
【００３５】
本発明の二酸化塩素発生装置における光源部と薬剤収納部とは、一体的に配置されていてもよく、分離して配置されていてもよいが、薬剤収納部に収納されている薬剤に対して、光源部から発生される光を効率よく照射させるためには、一体的に配置されていることが好ましい。ここで、光源部と薬剤収納部とは、分離不可能な態様で一体的に配置または接続されていてもよく、分離可能な態様で一体的に配置または接続されていてもよい。光源部と薬剤収納部とが分離可能な態様で一体的に配置または接続される場合には、薬剤収納部は交換可能なカートリッジであってよい。
【００３６】
本発明の二酸化塩素発生装置において、光源部と薬剤収納部との位置関係は特に限定されず、光源部は薬剤収納部の上方、下方、側方等、様々に配置することができる。好ましくは、薬剤収納部は光源部の上方に配置される。
【００３７】
本発明において用いられる薬剤収納部は、内部と外部をエアが移動できるように、１または複数の開口部が備えられている限り、その素材や構造において限定されない。例えば、薬剤収納部（特に、薬剤収納部のうち、光源部からの光が直接照射される面）の素材を、公知の光透過性の素材とすることによって、光源部から照射された光を薬剤収納部の内部の薬剤へ照射させることができる。好ましくは、薬剤収納部の素材を、実質的に可視領域の光を透過させる樹脂製とすることによって、光源部から発生された光が樹脂に吸収されずに薬剤収納部の内部の薬剤に照射される。本明細書において、実質的に可視領域の波長の光を透過させる樹脂とは、例えば、照射された可視領域の波長の光の８０％以上を透過させる樹脂であってよく、好ましくは、照射された可視領域の波長の光の９０％以上を透過させる樹脂であってよく、さらに好ましくは、照射された可視領域の波長の光の９５％以上を透過させる樹脂であってよい。具体的には、薬剤収納部のうち、光源部からの光が直接照射される面の素材として、アクリル板や透明塩化ビニル板を用いることができるが、特にこれらに限定されない。
【００３８】
また、例えば、薬剤収納部を、収納物が零れ落ちない程度の網目を有する網上板によって構成することもできる。このような構成によれば、薬剤収納部の外部のエアが、薬剤収納部の内部と外部を移動することができ、光源部から発生した光は網目を通って薬剤収納部の内部の薬剤に照射される。
【００３９】
本発明の二酸化塩素発生装置において、薬剤収納部に収納された薬剤にエアを送るための送風部は、例えばファンまたはエアポンプであってよいが、ファンであることが好ましい。このような送風部を備えることにより、薬剤収納部の内部の薬剤により多くのエアを供給することができる。薬剤により多くのエアが供給されることにより、固形の亜塩素酸塩を含む薬剤とエア中の水分（水蒸気）の接触頻度が高まるので、光が照射された固形の亜塩素酸塩から二酸化塩素が発生しやすくなる。
【００４０】
本発明の二酸化塩素発生装置は、装置の外部から内部へとエアを取り込むための送風部、または、装置の内部から外部へとエアを放出するための送風部のいずれかを備えていてもよく、その両者を備えていてもよい。
【００４１】
上記に述べた特徴を有する本発明の装置は、二酸化塩素発生装置において用いる、二酸化塩素発生用ユニットとして構成することもできる。本発明の二酸化塩素発生用ユニットは小型であるため、二酸化塩素の発生を目的とする様々な装置に組み込むことができる。
【００４２】
本発明の二酸化塩素発生用ユニットを組み込んだ二酸化塩素発生装置の一実施態様においては、前記薬剤収納部自体あるいは、前記薬剤収納部の内部の薬剤を交換することができるように、前記装置が開閉可能であるように構成することができる。また、二酸化塩素発生用ユニットの薬剤収納部を交換可能なカートリッジとすることもできる。このような構成を有することにより、装置自体を廃棄することなく、新しい薬剤を導入して、引き続き二酸化塩素を発生させることができるため、エコロジーの面においても経済面においても優れる。
【００４３】
本発明において使用される亜塩素酸塩としては、例えば、亜塩素酸アルカリ金属塩や亜塩素酸アルカリ土類金属塩が挙げられる。亜塩素酸アルカリ金属塩としては、例えば亜塩素酸ナトリウム、亜塩素酸カリウム、亜塩素酸リチウムが挙げられ、亜塩素酸アルカリ土類金属塩としては、亜塩素酸カルシウム、亜塩素酸マグネシウム、亜塩素酸バリウムが挙げられる。なかでも、入手が容易という点から、亜塩素酸ナトリウム、亜塩素酸カリウムが好ましく、亜塩素酸ナトリウムが最も好ましい。これら亜塩素酸塩は１種を単独で用いてもよいし、２種以上を併用しても構わない。
【００４４】
本発明の「固形の亜塩素酸塩、および、金属触媒または金属酸化物触媒を含む薬剤」に含まれる亜塩素酸塩の割合は３ｗ／ｗ％〜１５ｗ／ｗ％であってよく、好ましくは５ｗ／ｗ％〜１２ｗ／ｗ％であってよい。「固形の亜塩素酸塩、および、金属触媒または金属酸化物触媒を含む薬剤」に含まれる亜塩素酸塩の割合が３ｗ／ｗ％未満であると十分な反応が起きず、二酸化塩素の発生が極めて難しくなり、１５ｗ／ｗ％を超えると過剰に反応が起こり得るため、取り扱い上、危険性が上がる可能性がある。
【００４５】
本発明において使用される固形の亜塩素酸塩とは、固形状態にある亜塩素酸塩をいう。そのような固形の亜塩素酸塩として、粉状や粒状の亜塩素酸塩をそのまま用いることができ、また、粉状や粒状の亜塩素酸塩を適宜の無機物質担体と混合させたもの、さらには、亜塩素酸塩の水溶液を適宜の無機物質担体に混合し、必要に応じて乾燥させ、固形とした亜塩素酸塩を用いることもできる。
【００４６】
本発明において使用される固形の亜塩素酸塩は、どのような粒子径のものを使用してもよいが、特に平均粒子径が１ｍｍ〜３ｍｍのものを好適に使用できる。一般的には、固形の亜塩素酸塩を二酸化塩素の発生源とする場合、平均粒子径が５ｍｍ以上の固形の亜塩素酸塩を用いることが多い。しかし、平均粒子径が１ｍｍ〜３ｍｍの小型の固形の亜塩素酸塩を用いることにより、カートリッジ内の薬剤に含まれる多孔性の物質に亜塩素酸塩が入り込み、イオン反応が促進される。さらに、多孔性の物質に亜塩素酸塩が入り込むことによって、多孔質に二酸化塩素が取り込まれることを防ぎ、装置の電源をＯＦＦ（すなわち、エアの供給と光の照射を停止）にした後にまで二酸化塩素が放出され続けることを防ぐことができる。これらの効果によって、装置の電源をＯＮ（すなわち、エアの供給と光の照射を開始）にすることにより、速やかに二酸化塩素の放出を開始させることができ、装置の電源をＯＦＦ（すなわち、エアの供給と光の照射を停止）にすることにより、速やかに二酸化塩素の放出を停止させることができる。
【００４７】
なお、本明細書において、粉状・粒状（あるいは顆粒状）の大きさのおおよその目安としては、例えば粉状とは、平均粒子径が０．０１ｍｍ〜１ｍｍの大きさの固形物をいい、また粒状（あるいは顆粒状）とは、平均粒子径が１ｍｍ〜３０ｍｍの大きさの固形物をいうが、特に限定するものではない。
【００４８】
本発明における亜塩素酸塩の平均粒子径は、例えば、光学顕微鏡によって用いる亜塩素酸塩の粒子径を測定し、統計処理を行い、平均値と標準偏差を計算することによって算出することができる。
【００４９】
本発明において使用される金属触媒または金属酸化物触媒としては、例えば、パラジウム、ルビジウム、ニッケル、チタン、二酸化チタンが挙げられる。これらのうち、特に二酸化チタンが好適に用いられる。なお、二酸化チタンは、単に酸化チタン、またはチタニアと呼ばれることもある。
【００５０】
本発明において使用される金属触媒または金属酸化物触媒は、粉状または粒状等、様々な形態のものを使用することができるが、特に粒状であることが好ましい。
【００５１】
本発明の「固形の亜塩素酸塩、および、金属触媒または金属酸化物触媒を含む薬剤」に含まれる金属触媒または金属酸化物触媒の割合は５ｗ／ｗ％〜５０ｗ／ｗ％であってよく、好ましくは１０ｗ／ｗ％〜３０ｗ／ｗ％であってよい。「固形の亜塩素酸塩、および、金属触媒または金属酸化物触媒を含む薬剤」に含まれる金属触媒または金属酸化物触媒の割合が５ｗ／ｗ％未満であると十分なイオン化反応が起こらず、５０ｗ／ｗ％を超えるとイオン化反応が過剰に起こり、反応を制御しづらくなる。
【００５２】
本発明の「固形の亜塩素酸塩、および、金属触媒または金属酸化物触媒を含む薬剤」に含まれる固形の亜塩素酸塩と金属触媒または金属酸化物触媒との配合比率は特に限定されないが、二酸化塩素の放出の制御性の観点から、固形の亜塩素酸塩：金属触媒または金属酸化物触媒＝２：１〜５：３（重量比）であることが好ましい。
【００５３】
本発明において、「固形の亜塩素酸塩および金属触媒または金属酸化物触媒を含む薬剤」には、粉状や粒状の無機物質をさらに含むことができる。無機物質としては、例えば多孔性の物質（例えば、セピオライト、ゼオライト、モンモリロナイト、シリカゲル、ベイナイト、アパタイト）を使用することができる。多孔性の物質と所定の粒径の亜塩素酸塩を混合させて使用することにより、カートリッジ内でのイオン反応を促進させることができるとともに、本発明の装置からの放出される二酸化塩素の制御性を調節することができる。
【００５４】
また、本発明で使用することができる他の無機物質としては、例えば、塩化カルシウム、塩化マグネシウム、塩化アルミニウムなどの潮解性の物質が挙げられる。これらは周囲の空気中に存在する水分を積極的に取り込むことが可能であり、亜塩素酸塩（固形）の周辺の湿度を高めるので二酸化塩素を効率よく安定して発生させることができる。これらの無機物質は複数を同時に用いることもできる。例えば、多孔性の物質と潮解性の物質を併用することもできる。
【００５５】
本発明において、「固形の亜塩素酸塩、および、金属触媒または金属酸化物触媒を含む薬剤」には、さらに水酸化物を含むことができる。薬剤に水酸化物を加えることにより、薬剤のｐＨを調整することができ、薬剤自体の安定性を高め、光の照射を行っていない保管時などでの無駄な二酸化塩素の放出を抑えることができる。そのような水酸化物の例としては、水酸化ナトリウム、水酸化セシウム、水酸化リチウム、水酸化カリウム、水酸化ルビジウムを挙げることができ、これらのいくつかを混合して用いることもできる。これらの水酸化物は、水酸化物イオンで結晶した物質として使用することが好ましい。
【００５６】
本発明の「固形の亜塩素酸塩、および、金属触媒または金属酸化物触媒を含む薬剤」に含まれる水酸化物の割合は１ｗ／ｗ％〜６ｗ／ｗ％であってよく、好ましくは１ｗ／ｗ％〜４ｗ／ｗ％であってよい。
【００５７】
二酸化塩素の発生効率からすれば、粉状や粒状の亜塩素酸塩の周辺の湿度は一般に高いほど良いといえる。しかしながら、水が凝縮すれば電気系統に影響することが考えられるので、本発明の装置の内部の相対湿度が２０％〜９９％であることが好ましい。なお、上述の無機物質が、塩化カルシウム、塩化マグネシウム、塩化アルミニウムなどの潮解性物質であれば、周りの空気中に存在する水分を積極的に取り込むことが可能であり、亜塩素酸塩の周辺の湿度を高めるので二酸化塩素を効率よく安定して発生させることができる。また、装置内部にファンを用いる場合、ファンの働きによっても、内部のエアと外部のエアの交換が促進されることになる。さらには、空気中の水分を凝縮して集めるペルチェ素子（ペルチェ効果）を利用することもできる（水蒸気の侵入や結露が生じるペルチェ素子の欠点を逆利用して湿度上昇に働かせることもできる。）。
【００５８】
その他、次のような手段を講じることもできる。すなわち、
（１）装置本体内部の湿度を計測する湿度計を設け、水分量を監視しながらペルチェ素子により湿度をコントロールすることもできる。
（２）装置本体内部の二酸化塩素濃度あるいは装置の開口部から放出される二酸化塩素濃度を計測するガスセンサーを設け、二酸化塩素の発生量を監視しながら光源のＯＮ、ＯＦＦにより二酸化塩素ガス濃度をコントロールすることもできる。
（３）亜塩素酸塩と金属触媒または金属酸化物触媒とを別体として扱うのではなく、予め両者を混ぜてタブレット状に成形したものを使用することもできる。
（４）固形の亜塩素酸塩とエア中の水分（水蒸気）との接触効率を高めるため、また、光が照射される薬剤の部分が長時間同じ場合、二酸化塩素発生量が低下する傾向があるが、光と薬剤の当たる場所を変え二酸化塩素発生量が低下することを抑える目的で薬剤収納部における薬剤収納空間を撹拌する装置を設け、固形の亜塩素酸塩を薬剤収納部の内部でかき混ぜることもできる。あるいは、薬剤収納部を揺らして固形の亜塩素酸塩を薬剤収納部の内部でかき混ぜる方法を採っても構わない。薬剤収納部自体を揺らす方法としては、例えば小形モータ（回転軸を偏心させたモータ）を用いた振動装置（バイブレーション）や、モーター（回転装置）により薬剤収納部自体を定期的にあるいは不定期で回転させたり、動かす装置を設けることもできる。あるいは、薬剤収納部を装置本体内部にて定期的に上下逆さまにひっくり返す装置を備えることもできる。
【００５９】
本明細書において用いられる用語は、特定の実施態様を説明するために用いられるのであり、発明を限定する意図ではない。
【００６０】
また、本明細書において用いられる「含む」との用語は、文脈上明らかに異なる理解をすべき場合を除き、記載された事項（部材、ステップ、要素または数字等）が存在することを意図するものであり、それ以外の事項（部材、ステップ、要素または数字等）が存在することを排除しない。
【００６１】
異なる定義が無い限り、ここに用いられるすべての用語（技術用語および科学用語を含む。）は、本発明が属する技術の当業者によって広く理解されるのと同じ意味を有する。ここに用いられる用語は、異なる定義が明示されていない限り、本明細書および関連技術分野における意味と整合的な意味を有するものとして解釈されるべきであり、理想化され、または、過度に形式的な意味において解釈されるべきではない。
【００６２】
本発明の実施態様は模式図を参照しつつ説明される場合があるが、模式図である場合、説明を明確にするために、誇張されて表現されている場合がある。
【００６３】
本明細書において、例えば、「１〜１０ｗ／ｗ％」と表現されている場合、当業者は、当該表現が、１、２、３、４、５、６、７、８、９、または１０ｗ／ｗ％を個別具体的に指すことを理解する。
【００６４】
本明細書において、成分含有量や数値範囲を示すのに用いられるあらゆる数値は、特に明示がない限り、用語「約」の意味を包含するものとして解釈される。例えば、「１０倍」とは、特に明示がない限り、「約１０倍」を意味するものと理解される。
【００６５】
本明細書中に引用される文献は、それらのすべての開示が、本明細書中に援用されているとみなされるべきであって、当業者は、本明細書の文脈に従って、本発明の精神および範囲を逸脱することなく、それらの先行技術文献における関連する開示内容を、本明細書の一部として援用して理解する。
【００６６】
以下において、本発明を、実施例を参照してより詳細に説明する。しかしながら、本発明はいろいろな態様により具現化することができ、ここに記載される実施例に限定されるものとして解釈されてはならない。
【実施例】
【００６７】
製造例１：二酸化塩素発生装置【００６８】
図１は、本発明の一実施形態である、二酸化塩素発生装置１０の内部構造を示した縦断面図である。図１に示すとおり、二酸化塩素発生装置１０は薬剤収納部１１および可視領域の光を発生させる光源部（ＬＥＤチップ１２および操作基板１３）を備える。薬剤収納部１１は、内部に固形の亜塩素酸塩、および、金属触媒または金属酸化物触媒を含む薬剤１４を含む。薬剤収納部１１は、内部と外部をエアが移動できるように、開口部１６を備える。二酸化塩素発生装置１０は、装置外部のエアを装置内に導くためのチューブ１５を備える。【００６９】
チューブ１５から導入されたエアは、開口部１６を通って薬剤収納部１１の内部に供給される。供給されたエア中に含まれる水蒸気は、薬剤１４中の亜塩素酸塩に取り込まれる。光源部から発生した可視領域の光は、薬剤収納部１１の底面を透過して、薬剤収納部１１の内部に存在する薬剤１４に照射される。水蒸気を含んだ亜塩素酸塩は、照射された光と反応し、二酸化塩素を発生させる。亜塩素酸塩と共に薬剤１４に含まれる金属触媒または金属酸化物触媒は、可視領域の光を照射されることにより、亜塩素酸塩から二酸化塩素が発生する反応を促進する。発生した二酸化塩素は、開口部１６を通じて外部へ排出される。【００７０】
製造例２：二酸化塩素発生装置および二酸化塩素発生用ユニット【００７１】
図２は、本発明の一実施形態である、二酸化塩素発生装置２０の内部構造を示した縦断面図である。図２に示すとおり、二酸化塩素発生装置２０は、本発明の一実施形態である、二酸化塩素発生用ユニット２１を内部に備える。二酸化塩素発生装置２０の装置本体２２は、装置外部のエアを装置内部へ導入するためのエア供給口２３、および、装置内部のエアを装置外部へ排出するためのエア排出口２５を備える。さらに、二酸化塩素発生装置２０は、装置内部へ効率よくエアを導入するために、ファン２４を内部に備える。【００７２】
ファン２４の駆動によって、エア供給口２３から装置本体２２の内部へエアが導入される。導入されたエアは、装置内部に設置された二酸化塩素発生用ユニット２１を通過して、エア排出口２５から排出される。二酸化塩素発生用ユニット２１では、製造例１と同様の機構で二酸化塩素が発生するため、エア排出口２５から排出されるエアには二酸化塩素が含まれる。【００７３】
試験例１：照射する光の波長による二酸化塩素発生量の変化【００７４】
１０ｗｔ％亜塩素酸ナトリウム水溶液７０ｇを１００ｇのセピオライトに噴霧吸着させ乾燥させた後、さらに１０ｗｔ％水酸化ナトリウム水溶液２０ｇを噴霧吸着させて乾燥させた。これに、チタン粉末に焼成処理を施して調製した粉状の二酸化チタン２０ｇを混合して、供試薬剤とした。【００７５】
製造例１に記載の二酸化塩素発生装置中の薬剤収納部に、上記の薬剤を格納した。薬剤収納部の開口部から１Ｌ／ｍｉｎで薬剤収納部内にエアを導入し、ＬＥＤチップから薬剤収納部内の薬剤に対して光を照射した。ＬＥＤチップから照射する光の波長を８０ｎｍ〜４３０ｎｍまで２ｎｍごとに変化させ、二酸化塩素発生装置から排出されたエアに含まれる二酸化塩素濃度およびオゾン濃度を測定した。その結果を、図３および図４に示した。なお、本試験には、周波数カウンタ（ＭＣＡ３０００、テクトロニクス社）、スペクトラム・アナライザー（ＢＳＡ、アシレント・テクノロジー社）、波長スイープ光源（ＴＳＬ−５１０、サンテック社）、紫外線積算光量計（ＵＩＴ−２５０、ウシオ電機社）、および紫外線積算光量計受光器（ＶＵＶ−Ｓ１７２、ＵＶＤ−Ｃ４０５、ウシオ電機社）を用いた。【００７６】
図３は、様々な光の波長における、エア中の二酸化塩素濃度およびオゾン濃度の実測値を示したグラフであり、図４は、上記の測定値のうち、紫外領域（８０ｎｍ〜３５８ｎｍ）における測定値の平均値と、可視領域（３６０ｎｍ〜４３０ｎｍ）における測定値の平均値を比較したグラフである。なお、図４において、紫外領域および可視領域における二酸化塩素の測定値の平均値はそれぞれ約２．２５ｐｐｍ、約４．８７ｐｐｍであり、紫外領域および可視領域におけるオゾンの測定値の平均値はそれぞれ約７．０４ｐｐｍ、約３．０４ｐｐｍであった。【００７７】
図３に示すように、薬剤に照射する光の波長を紫外領域から可視領域にかけて移動させていくと、エア中のオゾン濃度は紫外領域で極大となり、紫外領域から可視領域にかけて減少していくことが示された。一方、驚くべきことに、エア中の二酸化塩素濃度は、紫外領域から可視領域にかけて上昇していくことが示された。この結果から、当業者であれば、本発明において好適に用いられる波長の範囲は、本試験例の測定範囲の上限である４３０ｎｍを越えて、例えば、少なくとも４５０ｎｍ程度の波長においても問題なく使用可能であることを理解できる。【００７８】
さらに、図４に示すように、紫外領域と可視領域とにおける、エア中のオゾン濃度および二酸化塩素濃度のそれぞれの平均値を比較すると、オゾン濃度は紫外領域から可視領域にかけて約４３％まで減少したのに対し、二酸化塩素濃度は紫外領域から可視領域にかけて約２１３％まで上昇した。【００７９】
すなわち、固形の亜塩素酸塩、および、金属触媒または金属酸化物触媒の混合物に対して可視領域の光を照射することによって、紫外領域の光を照射するよりも極めて効率的に二酸化塩素を発生させることができることがわかった。【００８０】
試験例２：触媒の形状による二酸化塩素発生量の変化【００８１】
本試験例において用いるサンプル１では、粒状の二酸化チタン（チタンを焼成処理して調製したもの）を用いた以外は、試験例１と同様の方法で薬剤を調製した。本試験例で用いるサンプル２およびサンプル３では、試験例１と同様の方法で薬剤を調製した。【００８２】
上記の方法によって調整した薬剤（サンプル１〜３）をそれぞれ製造例１に記載の二酸化塩素発生装置の薬剤収納部に格納した。サンプル１およびサンプル２については、薬剤収納部の開口部から１Ｌ／ｍｉｎで装置内にエアを導入し、光源部のＬＥＤチップから４０５ｎｍの光を照射した。サンプル３については、薬剤収納部の開口部から１Ｌ／ｍｉｎで装置内にエアを導入するのみで、光は照射しなかった。照射開始から１１時間後までの、装置から排出されたエアに含まれる二酸化塩素濃度を測定した。サンプル１〜３それぞれについての測定結果を図５に示す。【００８３】
図５に示すように、本発明の二酸化塩素発生装置を用いると、サンプル１〜３のいずれにおいても、低濃度の二酸化塩素を極めて長時間にわたって持続的に放出させ得ることがわかった。さらに、驚くべきことに、薬剤中に粒状の二酸化チタンを混合した場合（サンプル１）は、薬剤中に粉状の二酸化チタンを混合した場合（サンプル２）と比較して、より効率的に二酸化塩素を発生させ得ることがわかった。【００８４】
試験例３：二酸化塩素発生の制御性【００８５】
試験例１と同様の方法で薬剤を調製し、製造例１に記載の二酸化塩素発生装置の薬剤収納部に格納した。【００８６】
本発明の二酸化塩素発生装置において、電源をＯＮ／ＯＦＦにした場合（すなわち、ＬＥＤチップからの光の照射、および、装置へのエアの供給をＯＮ／ＯＦＦにした場合）の、二酸化塩素発生の発生量の変化を測定した。その結果を図６に示す。【００８７】
図６に示すとおり、本発明の二酸化塩素発生装置では、電源をＯＮにすると直ちに二酸化塩素の発生が開始され、電源をＯＦＦにすると直ちに二酸化塩素の発生が止まることがわかった。さらに、電源をＯＮにした際に急激に二酸化塩素濃度が上昇しすぎるような現象も見られなかった。すなわち、本発明の二酸化塩素発生装置は、二酸化塩素の発生に関して高い制御性を備えていることがわかった。
【符号の説明】
【００８８】
１０  二酸化塩素発生装置
１１  薬剤収納部
１２  ＬＥＤチップ
１３  操作基盤
１４  薬剤
１５  チューブ
１６  開口部
２０  二酸化塩素発生装置
２１  二酸化塩素発生用ユニット
２２  装置本体
２３  エア供給口
２４  ファン
２５  エア排出口
【図１】
0006556059.tif 000002
【図２】
0006556059.tif 000003
【図３】
0006556059.tif 000004
【図４】
0006556059.tif 000005
【図５】
0006556059.tif 000006
【図６】
0006556059.tif 000007